(57)【要約】【課題】  フィラキャップ開閉操作時に生じる捩れや曲がりの吸収性能を向上させ操作性に優れるフィラキャップ用のテザーを提供すること。【解決手段】  一端がフィラキャップに回動可能に取り付けられ、他端が車体に取り付けられる紐状のテザー本体１を有したフィラキャップ用のテザーＡであって、テザー本体１の途中にくびれ部１２を形成し、このくびれ部１２の断面形状を、変形させたい方向の断面２次モーメントがテザー本体１の一般部１１よりも小さくなる形状に形成した。【選択図】            図１
2006273166.tif 000002
【特許請求の範囲】
【請求項１】
一端がフィラキャップに回動可能に取り付けられ、他端が車体に取り付けられる紐状のテザー本体を有したフィラキャップ用のテザーであって、
前記テザー本体の途中にくびれ部を形成し、
このくびれ部の断面形状を、変形させたい方向の断面２次モーメントが前記テザー本体の一般部よりも小さくなる形状に形成したことを特徴とするフィラキャップ用のテザー。
【請求項２】
前記テザー本体の車体側の端部を、車体に対して回動可能に取り付け、
前記変形させたい方向を、この車体側端部の回動平面に対して略直角方向としたことを特徴とする請求項１に記載のフィラキャップ用のテザー。
【請求項３】
前記くびれ部は、前記一般部と同一断面積に形成したことを特徴とする請求項２記載のフィラキャップ用のテザー。
【請求項４】
前記くびれ部を複数設けたことを特徴とする請求項１〜３のいずれかに記載のフィラキャップ用のテザー。
【請求項５】
前記複数のくびれ部は、変形させたい方向が異なるものを含むことを特徴とする請求項４に記載のフィラキャップ用のテザー。
【請求項６】
前記複数のくびれ部は、変形させたい方向を異ならせたものを交互に配置したことを特徴とする請求項５に記載のフィラキャップ用のテザー。
【発明の詳細な説明】
【技術分野】
【０００１】
本発明は、車両においてフィラキャップを車体に繋ぎ止めるフィラキャップ用のテザーに関するものである。
【背景技術】
【０００２】
従来、給油時の落下や紛失の防止のため、フィラキャップをテザーにより車体に繋ぎ止めることが知られている。このようなフィラキャップ用のテザーとしては、導電性樹脂材料により、コスト低減のために一体成形され、一方がフィラキャップに回動自在に係止され、他方が車体側に固定されたものが知られている（例えば、特許文献１参照）。
【特許文献１】特開平１１−１２９７７１号公報
【発明の開示】
【発明が解決しようとする課題】
【０００３】
従来のフィラキャップ用のテザーは、フィラキャップの開閉操作時に生じる捩れや曲がりを、紐状のテザー本体の弾性により吸収していたため、この操作時の捩れや曲がりを十分に吸収できず、手に絡みつくなどして、操作性が悪化するという問題があった。
【０００４】
そこで、本発明は、フィラキャップ開閉操作時に生じる捩れや曲がりの吸収性能を向上させ操作性に優れるフィラキャップ用のテザーを提供することを目的とするものである。
【課題を解決するための手段】
【０００５】
本発明は、上述事情に鑑みなされたものであって、テザー本体の途中にくびれ部を形成し、このくびれ部の断面形状を、変形させたい方向の断面２次モーメントが前記テザー本体の一般部よりも小さくなる形状に形成したことを最も主要な特徴とするフィラキャップ用のテザーである。
【発明の効果】
【０００６】
本発明のフィラキャップ用のテザーでは、フィラキャップの開閉時には、テザー本体は、一般部に比べくびれ部において断面２次モーメントを小さくした方向に折れ曲がりやすい。よって、くびれ部を設けない場合に比べ、テザー本体に生じる捩れや曲がりを吸収しやすくなり、フィラキャップの開閉操作性が向上する。
【発明を実施するための最良の形態】
【０００７】
以下、本発明の実施の形態を図面に基づいて説明する。
【０００８】
この実施の形態のフィラキャップ用のテザーは、テザー本体１の途中にくびれ部１２を形成し、このくびれ部１２の断面形状を、変形させたい方向の断面２次モーメントがテザー本体１の一般部１１よりも小さくなる形状に形成した。
【実施例１】
【０００９】
図１は、この発明の最良の実施の形態の実施例１のフィラキャップ用のテザーＡを示す平面図である。
【００１０】
この実施例１のフィラキャップ用のテザーＡは、導電性の樹脂材料により一体成形したもので、紐状のテザー本体１と、このテザー本体１の一端の係止用リング２と、他端の取付部３とを備えている。
【００１１】
前記係止用リング２は、図２に示すように、フィラキャップ４の外周に、フィラキャップ４と相対回動可能に係止して使用する。
【００１２】
前記取付部３は、図３の断面図に示すように、裏面に取付ピン３１が突出され、この取付ピン３１には、その先端部に係合フランジ３２が形成されているとともに、軸心部に貫通孔３３が貫通して形成されている。すなわち、取付部３は、車体取付時に、車体としての車体パネル５に貫通された取付孔５１に取付ピン３１を相対回動可能に差し込み、かつ、係合フランジ３２を取付孔５１の周縁に係合させ、さらに、貫通孔３３に抜け止め用のピン３４を差し込む。この抜け止め用のピン３４により、係合フランジ３２の縮径方向の変形を規制することで、抜け止めを確実にして車体パネル５に取り付ける。
【００１３】
前記テザー本体１は、図４にも示すように、一般部１１が、直径Ｄｍｍの円柱状に形成されている。なお、テザー本体１１の直径、すなわち断面積は、引張荷重に対する強度と、導電性に基づいて決定しており、本実施例１では、後述の図６に示すように、Ｄ＝３ｍｍとしている。
【００１４】
そして、一般部１１の略中央位置にくびれ部１２を設けている。このくびれ部１２は、厚みａ、長辺ｂ、短辺ｃの薄い直方体形状に形成しており、かつ、その断面積は、一般部１１の断面積と略同一にしている。また、このくびれ部１２と一般部１１との間には、円柱状の一般部１１から直方体のくびれ部１２へと断面積をほぼ同一のままで形状を変化させながら繋ぐスカート部１３，１３を形成している。
【００１５】
さらに、くびれ部１２は、図４（イ）の矢印ハの方向の断面２次モーメントを小さく設定しており、この方向に変形が容易となっている。そして、この変形容易な方向が、前記テザー本体１の回動面、すなわち取付部３の取付ピン３１の軸心を中心とする回動面に対して、略垂直方向を向くようにしている。
【００１６】
なお、くびれ部１２における前記寸法ａと寸法ｂとの関係は、ａ＜ｂであり、かつ、図６において操作性向上代がプラスとなる範囲の寸法を選択している。
【００１７】
次に、実施例１のフィラキャップ用のテザーＡの作用について説明する。
【００１８】
フィラキャップ４を開閉操作するときには、テザー本体１へ入力があると、取付ピン３１を中心に回動するとともに、弾性変形してその入力を吸収する。この弾性変形において、テザー本体１は、図５に示すように、くびれ部１２では、断面２次モーメントの小さい方向に容易に変形して、テザー本体１に生じる捩れや曲がりを吸収する。この変形方向は、取付ピン３１によるテザー本体１の回動方向と略直角な方向であり、従来この取付ピン３１を中心とした回動で吸収できなかった捩れや曲がりを吸収できる。
【００１９】
このように、くびれ部１２を設けない場合に比べて、テザー本体１の回動直交方向の変形が容易となって、フィラキャップ４の開閉操作時にテザー本体１に生じる捩れや曲がりを吸収しやすくなり、これにより、手に絡みつきにくくなって操作性が向上する。
【００２０】
ここで、図６の特性図に基づいて、一般部１１とくびれ部１２の断面２次モーメントの違いと、操作性向上代について説明を加える。すなわち、くびれ部１２において、厚みａの寸法を小さくすれば、それだけ断面２次モーメントの値が小さくなり、つまり折れ曲がり容易となり、操作性向上代が大きくなる。
【００２１】
また、本実施例１のテザーＡでは、くびれ部１２およびスカート部１３，１３の断面積を一般部１１と略同一にしているため、この部分の電気抵抗が大きくなることが無く、くびれ部１２およびスカート部１３，１３で導電性が悪化することがないとともに、引張荷重に対する強度も悪化しない。
【実施例２】
【００２２】
次に、実施の形態の実施例２のフィラキャップ用のテザーＢについて説明する。なお、前記実施例１と同一ないし均等な部分については、同一符号を付して説明を省略し、相違する部分を中心として説明する。
【００２３】
図７は、この実施例２のフィラキャップ用のテザーＢの平面図である。
【００２４】
まず、構成から説明する。
【００２５】
この実施例２のフィラキャップ用のテザーＢは、くびれ部として、実施例１で示したくびれ部１２と同様の第１くびれ部１２ａと、断面２次モーメント小さくなる方向をこの第１くびれ部１２ａに対して略９０°向きを変えた第２くびれ部１２ｂと、の２種類を設定している。さらに、２組の第１くびれ部１２ａと第２くびれ部１２ｂとを、交互に一定間隔ｔで連続して配置している。
【００２６】
なお、各くびれ部１２ａ，１２ｂと一般部１１との間には、実施例１と同様のスカート部１３を設けている。
【００２７】
次に、この実施例２のフィラキャップ用のテザーＢの作用について説明する。
【００２８】
この実施例２のフィラキャップ用のテザーＢにあっては、フィラキャップ４の開閉操作時には、テザー本体１へ入力があると、第１くびれ部１２ａと第２くびれ部１２ｂとで、それぞれ９０°異なる方向に変形しやすくなる。さらに、各くびれ部１２ａ，１２ｂを２個ずつ設けていることから、これらを単数設けた場合に比べて、全体の捩れや曲がりの変形吸収代が大きくなり、いっそう操作性が向上する。
【００２９】
これにより、実施例２では、ユニバーサルジョイントを設けたのに等しいねじれ吸収作用を、ユニバーサルジョイントを設けた場合よりも安価に得ることができる。
【００３０】
さらに、第１くびれ部１２ａと第２くびれ部１２ｂとを交互に配置させたことにより、向きの異なるくびれ部１２ａ，１２ｂ間の最大変位量を低く抑えることができ、応力の分散化を図り、耐久性に優れる。
【００３１】
以上、図面を参照して、本発明の実施の形態および各実施例１，２を詳述してきたが、具体的な構成は、この実施の形態および各実施例１，２に限らず、本発明の要旨を逸脱しない程度の設計的変更は、本発明に含まれる。
【００３２】
すなわち、実施例１のフィラキャップ用のテザーＡでは、くびれ部１２の変形させたい方向を取付ピン３１を中心とする回動面に略直交する方向としたが、これは、フィラキャップ開閉操作時におけるテザー本体に生じる捩れや曲がりの向きに応じ、任意に設定すればよいものであり、本実施例１で示した方向に限定されるものではない。
【００３３】
また、くびれ部１２の形状は実施例１，２で示した直方体形状に限られるものではなく、例えば、平面視で正方形や楕円形状など任意の形状に設定できる。
【００３４】
また、実施例１，２では、取付部３を車体（車体パネル５）に対して回動可能な取り付けとしたが、従来文献に示されるように車体に対して固定してもよい。
【００３５】
また、実施例１，２では、くびれ部１２，１２ａ，１２ｂは、一般部１１と同一断面積に形成したが、これに限らない。すなわち、必要な引張荷重に対する強度および導電性が得られるので有れば、一般部１１よりも断面積を小さくしても大きくしてもよいが、一般部１１よりも断面積は小さくならないようにするのが好ましい。
【００３６】
また、テザーＡ，Ｂを取り付ける車体としては、車体パネルだけでなく、フィラキャップ部分を開閉するリッドであってもよい。
【００３７】
また、前記実施の形態の各実施例２のフィラキャップ用のテザーＢでは、くびれ部を複数設けるにあたり、その変形させたい方向（断面２次モーメントが小さい方向）を略９０°異ならせた第１くびれ部１２ａと第２くびれ部１２ｂとを、２個ずつ設けた例を示したが、その変形させたい方向および数は、これに限定されない。すなわち、くびれ部を複数設ける場合、その数は、２以上で有れば、何個設けてもよい。このように複数のくびれ部を設ける場合、その変形させたい方向（断面２次モーメント小の方向）は、例えば、同一方向のものを複数設けてもよいし、また、実施例２で示したように方向が異なるものを組み合わせてもよい。さらに、このように断面２次モーメント小の方向が異なるくびれ部を複数設定する場合、その方向は、２方向の場合、実施例２で示した２方向に限られるものではなく、さらに、３方向以上の異なる方向のくびれ部を組み合わせてもよい。例えば、係止用リング２に近い側と取付部３に近い側とで、変形させたい方向が異なる場合には、これら２カ所でくびれ部の変形方向を異ならせるようにすることもできる。
【図面の簡単な説明】
【００３８】
【図１】本発明の実施の形態の実施例１のフィラキャップ用のテザーＡを示す平面図である。
【図２】本発明の実施の形態の実施例１のフィラキャップ用のテザーＡのフィラキャップ４への係合状態を示す一部を断面にした側面図である。
【図３】本発明の実施の形態の実施例１のフィラキャップ用のテザーＡの取付部３を示す断面図である。
【図４】本発明の実施の形態の実施例１のフィラキャップ用のテザーＡの要部を示す図であり、（イ）は斜視図、（ロ）は前記（イ）の矢印ロ方向から見た図、（ハ）は前記（イ）の矢印ハ方向から見たである。
【図５】本発明の実施の形態の実施例１のフィラキャップ用のテザーＡの作用を示す側面図である。
【図６】本発明の実施の形態の実施例１のフィラキャップ用のテザーＡの一般部１１とくびれ部１２の断面２次モーメントおよび操作性向上代を示す特性図であり（イ）は一般部１１の特性を示す図、（ロ）はくびれ部１２の特性を示す図、（ハ）は負荷入力方向の説明図である。
【図７】本発明の実施の形態の実施例２のフィラキャップ用のテザーＢを示す側面図である。
【符号の説明】
【００３９】
１     テザー本体
４     フィラキャップ
５      車体パネル（車体）
１１   一般部
１２   くびれ部
１２ａ くびれ部
１２ｂ くびれ部
Ａ     実施例１のフィラキャップ用のテザー
Ｂ     実施例２のフィラキャップ用のテザー
【図１】
2006273166.tif 000003
【図２】
2006273166.tif 000004
【図３】
2006273166.tif 000005
【図４】
2006273166.tif 000006
【図５】
2006273166.tif 000007
【図６】
2006273166.tif 000008
【図７】
2006273166.tif 000009